(57)【要約】【課題】  両開扉錠において、デッド杆の先端に回動可能に装着された係合シューをバックアップ杆の先端でバックアップすると共に、このバックアップ杆を親扉開放時少し動かして係合シューを自由にする。【解決手段】  子扉を閉止位置に置き、親扉を閉めることによりそのストライクの動きで従動子３、揺動レバー１８を介してデッド杆６を床面及び／または上枠のストライク孔に投入する際、親扉の自由側端縁に装着したストライク板のストライク孔と反転ラッチ３２との係合により、反転ラッチ３２をラッチケース３８内に押込み、その動きにより作動レバー３７を反時計方向に回動させ、その先端の作動ピン４１によりバックアップ杆１７を押上げる。【選択図】  図１３
2007170071.tif 000002
【特許請求の範囲】
【請求項１】
両開扉の子扉の自由側端縁部の端部に装着されるケース体と、子扉の自由側端縁部とほぼ同一面となるケース体のフロント板から出没可能に支承され、親扉の閉扉時その自由側端縁と干渉してケース体内に押込まれる従動子と、ケース体内において子扉の自由側端縁に平行な方向に延在してその長さ方向に移動可能に案内され、ケース体内に引き込まれる方向に付勢されたデッド杆と、このデッド杆の内端部及び上記従動子の間に配設され、親扉閉扉時における従動子の動きをデッド杆に伝達し、これを長さ方向に沿ってケース体から外方に押出すように駆動する作動力偏向機構と、デッド杆の外端において扉面に平行で水平な支軸の回りを回動自在に軸支され、先端が子扉の閉鎖方向にのみ回動可能に拘束されると共に同方向に付勢された係合シューと、デッド杆に重合する態様で、外端が子扉の閉鎖方向から係合シューに接触する拘束位置と、ケース体内に引込んで係合シューと係合しなくなる解放位置との間をデッド杆に対し相対的に移動可能に案内されると共に、ケース体外に突出する方向に付勢されたバックアップ杆と、このバックアップ杆をデッド杆に対し相対的に拘束位置に係止する係止機構と、フロント板から突出する方向に付勢され、両開扉の閉鎖時親扉の自由側端縁に形成されたストライク孔に投入される反転ラッチと、閉鎖された両開扉の親扉を開放する初期の段階において、上記係止機構による拘束を解いてバックアップ杆を解放位置に移動させる解放機構とを有することを特徴とする両開扉錠。
【発明の詳細な説明】
【技術分野】
【０００１】
この発明は、所謂観音開き扉と称される両開扉の子扉の自動係止装置（以下単に両開扉錠という）に係り、特に、床面或いは天井面に形成されたストライク孔とデッドボルトとの間に側圧が作用する場合であっても円滑に開放することができる両開扉錠に関する。
【背景技術】
【０００２】
本出願人は、先に、下記特許文献１を以て新規な両開扉の子扉の自動係止装置（両開扉錠）を提案した。
【０００３】
この両開扉錠は、特許文献１の第１図に示す子扉１を戸当りに当てて閉止位置に置き、次いで戸当りに係止された子扉に対して、人の手やクローザにより親扉を閉める。
【０００４】
すると、親扉の自由側端縁と子扉のフロント板から突出した従動子７（特許文献１の第２図の符号７）との係合により従動子が錠箱内に押込まれ、この従動子７の移動を利用して子扉の上下端縁からデッドボルト（特許文献１では作動杆）が上枠或いは床面に開口したストライク孔に投入され、親、子扉とも閉鎖される。
【０００５】
両開扉を開くときには、親扉の施錠を解きこれを開くと、上記従動子がばねの力でフロント板から突出するので、デッドボルトが自動的に錠箱内に引込み、親扉に連動して子扉も開く。
【特許文献１】特開平４−３８３８５号公報
【発明の開示】
【発明が解決しようとする課題】
【０００６】
上記した構成の所謂両開扉は例えば劇場やオフィスビル等の非常口に装着されるが、例えば火事や地震等によって屋外に脱出するため人が非常口に殺到すると、通常、人が子扉を押すため、両開扉錠のデッドボルトの先端が上記ストライク孔の開口端縁に強く押圧され、この接触部分に生じる摩擦抵抗により、親扉が開いても子扉が開かず、非常口が狭いままになる、という不都合が生じる。
【０００７】
この発明は、親扉の開放の初期の段階においてデッドボルトとストライク孔との抉りを無くし、以て上記した不都合を解消し得る新規な両開扉錠を提供することを目的としている。
【課題を解決するための手段】
【０００８】
上記の目的を達成するため、請求項１に記載された発明は、両開扉の子扉の自由側端縁部の端部に装着されるケース体と、子扉の自由側端縁部とほぼ同一面となるケース体のフロント板から出没可能に支承され、親扉の閉扉時その自由側端縁と干渉してケース体内に押込まれる従動子と、ケース体内において子扉の自由側端縁に平行な方向に延在してその長さ方向に移動可能に案内され、ケース体内に引き込まれる方向に付勢されたデッド杆と、このデッド杆の内端部及び上記従動子の間に配設され、親扉閉扉時における従動子の動きをデッド杆に伝達し、これを長さ方向に沿ってケース体から外方に押出すように駆動する作動力偏向機構と、デッド杆の外端において扉面に平行で水平な支軸の回りを回動自在に軸支され、先端が子扉の閉鎖方向にのみ回動可能に拘束されると共に同方向に付勢された係合シューと、デッド杆に重合する態様で、外端が子扉の閉鎖方向から係合シューに接触する拘束位置と、ケース体内に引込んで係合シューと係合しなくなる解放位置との間をデッド杆に対し相対的に移動可能に案内されると共に、ケース体外に突出する方向に付勢されたバックアップ杆と、このバックアップ杆をデッド杆に対し相対的に拘束位置に係止する係止機構と、フロント板から突出する方向に付勢され、両開扉の閉鎖時親扉の自由側端縁に形成されたストライク孔に投入される反転ラッチと、閉鎖された両開扉の親扉を開放する初期の段階において、上記係止機構による拘束を解いてバックアップ杆を解放位置に移動させる解放機構とを有することを特徴とする。
【発明の効果】
【０００９】
上記のように構成された請求項１に記載の発明による両開扉錠は、両開扉の閉鎖状態においては、子扉を開放方向に押動する側圧はデッド杆の外端に装着された係合シュー及びバックアップ杆を介してケース体に担持される。
【００１０】
側圧が印加された状態で親扉を開放すると、その初期の段階でケース体の反転ラッチが係止機構によるバックアップ杆の拘束を解くので、バックアップ杆がケース体内に引込みその先端に拘束されていた係合シューが自由になる。
【００１１】
そのため、係合シューが閉鎖方向に回動してデッド杆が移動しやすくなり、デッド杆の付勢力によってデッド杆が床面或いは上枠のストライク孔から引抜かれ、このようにして子扉を容易に開放する、という所期の効果を奏する。
【発明を実施するための最良の形態】
【００１２】
扉の自由側端縁部の端部から床面或いは上枠のストライク孔に投入されるデッド杆の先端に係合シューを回動自在に設け、そのバックアップ杆による拘束を親扉の開放操作の所期において解くようにしたので、子扉のデッド杆の先端に印加される側圧による不都合を解消することができた。
【実施例１】
【００１３】
以下、この発明の一実施例を図面を参照して説明する。
図１及び図２において符号１はケース体を示し、このケース体１は子扉の自由側端演舞の上端及び／又は下端に例えば埋設等の態様で装着される（前記特許文献１の図１参照）。
【００１４】
このケース体１の子扉の自由側端縁とほぼ同一面となるフロント板２付近には、図１及び図３に示すように、従動子３が設けられている。
【００１５】
図示の実施例における従動子３は、図３に示すように、床面（水平面）に対する投影形状が扇形のブロック体で、その要の部分を鉛直に貫通する第１支軸４により水平面内で回動可能に軸支されている。
【００１６】
この従動子３は、図３に示す閉鎖位置にあるケース体１に対し、親扉閉鎖時、図示しない親扉の自由側端縁に装着されたストライク板５が図３において相対的に子扉に近接したとき、換言すれば図３においてストライク板５が下降したとき、このストライク板に駆動されて図３で反時計方向に回動し、後述する作動力偏向機構を駆動する。
【００１７】
なお、この従動子３は、図示の実施例のような回動するブロック体ではなく、特許文献１に記載されているように先端に斜面を形成し、ストライク板に対し垂直な方向に移動可能に案内されたものであっても良いことは勿論である。
【００１８】
一方、図１及び図２において符号６はデッド杆を示し、図示の実施例におけるデッド杆６は、下方を断面コ字形に折曲して剛性を増大させた細長い板状体で、ケース体１内においてこ扉の自由側端縁に平行な方向（上下方向）に延在している。
【００１９】
また、このデッド杆６は、第２及び第３支軸７、８によって上下方向に移動可能に支持、案内されている。
【００２０】
更にまた、図１にに示すように、ケース体１の内側底面に植設された案内杆９が、デッド杆の側端縁に一体に形成された水平な案内板１１に開口した図示しない案内孔と摺動可能に嵌合しており、案内板１１とケース体１の底面との間における案内杆９に巻装された圧縮コイルばねとしての第１付勢ばね１２の弾力により、デッド杆６は上方に、換言すればケース体内に引き込まれる方向に付勢されている。
【００２１】
他方、図１に示すように、このデッド杆６の上端部と前記従動子３との間には、作動力偏向機構としての揺動レバー１３が配設されている。
【００２２】
この揺動レバー１３は、板材を断面コ字形に折曲し、ケース体１の側板への投影形状が扇形になるように成形した部材で、その要の部分を貫通する水平な第４支軸１４によって揺動可能に軸支されている。
【００２３】
また、揺動レバーの従動子３に近接した一端部はローラ１５を介して従動子３に当接しており、他端部に担持された水平な第１係合ピン１６は、図１及び図３に示すように、デッド杆６の上端部に開口した付番しない水平な長穴である係合穴と摺動可能に係合している。
【００２４】
上記した構成により、親扉が閉鎖位置に近接したとき、そのストライク板５によって従動子３がケース体１内に押込まれ、この従動子の回動に連動して揺動レバー１３が図１で時計方向に回動子、その結果、図４に示すように、デッド杆６が第１付勢ばね１２の弾力に抗して下降する。
【００２５】
このとき、後記係合シュー１９が床面或いは上枠に開口した図示しないストライク孔に投入され、子扉に側圧がかかる場合には、図２における係合シュー１９の右側の面がストライク孔の開口端縁に押圧される。
【００２６】
前記したように、デッド杆６の下端部は断面コ字形に成形されていることは前記した通りであるが、次に述べるバックアップ杆１７（図１及び図２参照）の下端部も断面コ字形に折曲されている。
【００２７】
そして、図２に示すように、デッド杆６及びバックアップ杆１７の下端部のコ字形の開口を相互に対向させるようにして、デッド杆６の大きなコ字形部にバックアップ杆１７の小さなコ字形を入り込ませる態様で両コ字形部が重合している。
【００２８】
一方、図２に示すように、上記のようにしてバックアップ杆と重合している外端に、扉面に平行で水平な支軸１８により、係合シュー１９が回動可能に配設されている。
【００２９】
また、図面を明瞭にするため付番を省略する捩りコイルばねの弾力により、この係合シュー１９は反時計方向に付勢されているが、係合シュー１９に外力が作用しない常態においては、その上端部がバックアップ杆１７のコ字形部の内底面に弾接して図示の角度位置を保つ。
【００３０】
したがって、係合シュー１９は図２に示す角度位置から更に反時計方向（係合シューの先端が右方向）に回動することができないように拘束されている。
【００３１】
なお、係合シュー１９が受ける側圧は、ローラ２２を介してバックアップ杆１７の先端を図２で左方に押動するように作用するが、このバックアップ杆の先端部の左側にはニードルローラ３０が配設されていて、バックアップ杆１７の後記上昇を容易ならしめている。
【００３２】
他方、上記バックアップ杆１７は、図１及び図２に示すように、デッド杆６と重合する態様で上下方向にに延在し、デッド杆６と同様前記第２及び第３支軸７、８により長さ方向に移動可能に案内されている。
【００３３】
また、バックアップ杆１７には、図面を明瞭にするため図１では図示を省略するが、図１３に示すような圧縮コイルばね２３弾装されており、この圧縮コイルばねの弾力により、バックアップ杆１７はケース体１外に突出する方向に付勢され、図１、２に示す常態においては、後述する係止機構２４により図示の位置を保つ。
【００３４】
更にまた、バックアップ杆１７の下端には、水平な第５支軸２１により、ローラ２２が転動可能に軸支されており、このローラ２２は、図示の拘束位置では、係合シュー１９に左方（子扉の閉鎖方向）から接触している。
【００３５】
このローラ２２（バックアップ杆１７）のデッド杆６に対する相対拘束位置は、上記したように、次に述べる係止機構２４によって定まる。
【００３６】
この係止機構２４は、図１及び図５に示すように、第１及び第２レバー２５、２６によるリンクである。
【００３７】
これら第１及び第２レバーの一端は連結ピン２７により屈伸可能にリンク結合されており、第１レバー２５の他端はデッド杆６に回動可能に支承されている。
【００３８】
また、図１に示すように、第２レバーの他端を貫通するように植設された第２係合ピン２８の一端は、デッド杆６の上端部に開口した縦長の案内溝２９に摺動可能に係合すると共に、他端はバックアップ杆の上端（内端）に開口した付番しない嵌合孔に回動可能に嵌合している。
【００３９】
また、第２レバー２６の他端に巻装され、前記圧縮コイルばね２３より大きな弾力の捩りコイルばね３１の弾力により、第２レバー２６は反時計方向に付勢されており、したがって、第１レバー２５の上記第２係合ピン２８は、捩りコイルばね３１の弾力により案内溝２９の下端に定座した態様で、バックアップ杆１７のデッド杆６に対する相対位置を図１に示すように定めている。
【００４０】
このバックアップ杆１７は拘束位置に保たれ、この拘束位置は、図４に示す子扉閉鎖時にも保たれる。
【００４１】
上記係止機構２４によるバックアップ杆１７の拘束を解くため、図５に示す反転ラッチ３２による解放機構が設けられている。
【００４２】
上記反転ラッチ３２は、図５に示すように、水平投影が平行四辺形の一部をなし、その対角線の交点を通る第６支軸３３により垂直軸の回りを回動可能に支承された反転ラッチ３２は、圧縮コイルばねとしてのラッチばね３４の弾力により、ラッチボード３５を介してケース体１のフロント板２から突出する方向に付勢されている。
【００４３】
上記反転ラッチ３２はラッチボード３５に担持されていることは上記し、また、図５に示すとおりであるが、上記ラッチばね３４が収納されている空間に隣接する空間に上記係止機構２４が収納されている。
【００４４】
そして、反転ラッチとしての作用により、親扉の閉鎖の始めには、図５に示すように反転ラッチが回動して倒れ、更に親扉がしまると、図６に示すように、反転ラッチの係止面が斜面となって、ストライク孔の開口端縁との間に生じる楔作用により、反転ラッチがケース体１内に押込まれる。
【００４５】
親扉が完全に閉鎖されると、図７に示すように、反転ラッチ３２が回動しながらストライク孔に投入され、それまでの斜面が係止面となる。
【００４６】
ちなみに、図示しない親扉の自由側端縁には図８及び図９に示すストライク板５が装着されており、両開扉閉鎖時反転ラッチ３２と対向する部位にはストライク孔４０が、従動子３に対向する部位には従動子用のストライク突起３７が夫々設けられている。
【００４７】
そして、このストライク突起３７はストライク板５からの突出量を調節可能であるが、その構成はこの発明の要旨ではないので、更に詳細な説明は省略する。
【００４８】
解放機構の説明に戻って、子扉に側圧がかかった状態で親扉を開けると、図１０に示すように、親扉のストライク板５がケース体１に対して相対的に上方に移動する。
【００４９】
このときには、デッド杆６及びバックアップ杆１７は図４に示すように下降している。
【００５０】
すると、反転ラッチ３２の斜面とストライク孔の開口端縁との間に生じる楔作用により、反転ラッチがケース体１内に押込まれ、その内端に装着された駆動ローラ３６が前記係止機構２４のリンクの連結部を水平方向で内方に押す。
【００５１】
そのため、係止機構２４のく字形のリンクが伸び、その捩りコイルばね３１が巻装された下端に対し、上端に設けられた第２係合ピン２８がバックアップ杆１７を引張り上げる態様で図４においてバックアップ杆１７が上昇する。
【００５２】
そのため、図１２に示すように、バックアップ杆１７と一体のローラ２２が上方に移動し、これに拘束されていた係合シュー１９が鎖線で示すように子扉閉鎖方向に傾動可能になる。
【００５３】
したがって、係合シュー１９の傾動によって子扉の側圧が解消され、デッド杆６及びバックアップ杆１７が一体的にケース体内に引き込まれて、子扉の床面、或いは上枠への係止が解かれる。
【実施例２】
【００５４】
図１３及び図１４は請求項１に記載の発明の他の実施例を示し、子の実施例と前記実施例１との相違は係止機構が異なるのみである。
【００５５】
すなわち、図１３及び図１４において符号３７は作動レバーを示し、この作動レバー３７は、ラッチケース３８の側板に対する投影形状が略へ字形のレバー体で、ラッチケース３８を圧さ方向に貫通する第６支軸３９によって回動自在に支承されている。
【００５６】
そして、図示しないストッパにより、常態では図１３に示す角度位置を保っている。
【００５７】
また、作動レバー３７の一端に植設された作動ピン４１は、バックアップ杆１７の上端に形成された折曲部に下方から係合している。
【００５８】
そのため、圧縮コイルばね２３の弾力により下方（外方）に付勢されたバックアップ杆１７を、その外端が係合シューに閉鎖方向から当接する拘束位置に保つ。
【００５９】
一方、図面を明瞭にするためラッチばね３４及びラッチボード３５を省略して示す反転ラッチ３２を上記作動レバー３７の近傍に設け、両開扉閉扉時図１４に実線で示す角度位置で親扉側のストライク孔４０に係入している。
【００６０】
上記のように構成された両開扉錠において、親扉を少し開けると、反転ラッチ３２の下側の斜面がストライク孔の開口端縁に当接し（図１０参照）、更に親扉を開けると、反転ラッチ３２が内方に移動して、反転ラッチの作動端４２が上記作動レバー３７の他端を押動する。
【００６１】
すると、作動レバーは図１３で反時計方向に回動し、その先端の作動ピン４１がバックアップ杆１７の付勢力に抗してこれを持上げる。
【００６２】
すると、前記したように、バックアップ杆１７がデッド杆６に対して相対的に上昇し、ローラ２２と係合シュー１９との係合をとくことは前記した通りである。
【図面の簡単な説明】
【００６３】
【図１】この発明の一実施例による両開扉錠の一部断面側面図。
【図２】その一部断面背面図。
【図３】その平面図。
【図４】図１と同様の一部断面側面図で、両開扉の閉鎖時を示す。
【図５】親扉の閉鎖作動の初期を示す反転ラッチ部の平面図。
【図６】図５と同様の反転ラッチ部の平面図で、反転ラッチが少し押込まれた状態を示す。
【図７】図５と同様の反転ラッチ部の平面図で、両開扉の閉鎖時を示す。
【図８】ストライク板の正面図。
【図９】ストライク板の一部断面側面図。
【図１０】図５と同様の反転ラッチ部の側面図で、親扉の開き始めを示す。
【図１１】図５と同様の反転ラッチ部の側面図で、反転ラッチが係止機構を解除した状態を示す。
【図１２】係合シューの作動を説明するための両開扉錠の正面図。
【図１３】この発明の他の実施例による両開扉錠の一部断面側面図。
【図１４】その反転ラッチ部の平面図。
【符号の説明】
【００６４】
１  ケース体
２  フロント板
３  従動子
５  ストライク板
６  デッド杆
１３  揺動レバー
１７  バックアップ杆
１８  支軸
１９  係合シュー
２２  ローラ
２４  係止機構
３２  反転ラッチ
３４  ラッチばね
３５  ラッチボード
３７  作動レバー
３８  ラッチケース
４０  ストライク孔
４２  作動端
【図１】
2007170071.tif 000003
【図２】
2007170071.tif 000004
【図３】
2007170071.tif 000005
【図４】
2007170071.tif 000006
【図５】
2007170071.tif 000007
【図６】
2007170071.tif 000008
【図７】
2007170071.tif 000009
【図８】
2007170071.tif 000010
【図９】
2007170071.tif 000011
【図１０】
2007170071.tif 000012
【図１１】
2007170071.tif 000013
【図１２】
2007170071.tif 000014
【図１３】
2007170071.tif 000015
【図１４】
2007170071.tif 000016